(57)【要約】【課題】組立が容易で、構成が簡単で、しかも量産できる、外部電極構造を有する冷陰極ランプモジュールを提供する。【解決手段】本発明による冷陰極ランプモジュールは、基板３３，３４と、少なくとも一つの電極対３２と、少なくとも一つの冷陰極ランプ３１とを備える。前記電極対３２は、第１電極３２１と第２電極３２２とを含み、第１電極３２１と第２電極３２２が互いに非対称に前記基板３３，３４に設けられる。前記冷陰極ランプ３１は、前記基板３３，３４に設けられる。  本発明の冷陰極ランプモジュールによれば、前記電極対を基板に設けることにより、外部電極構造を有する冷陰極ランプモジュールを形成し、内部電極構造の金属電極の封着工程を無くすことができるため、製品の歩留まり、信頼性と使用寿命を向上することができる。【選択図】図９
2007012615.tif 000002
【特許請求の範囲】
【請求項１】
第１基板と、
前記第１基板に対応して設けられた第２基板と、
それぞれ前記第１基板と前記第２基板に設けられた第１電極と第２電極とを含む、少なくとも一つの電極対と、
前記第１基板と前記第２基板の間に設けられた、少なくとも一つの冷陰極ランプと
を備えることを特徴とする、冷陰極ランプモジュール。
【請求項２】
前記第１電極と前記第２電極は、互いに対称または非対称に設けられることを特徴とする、請求項１に記載の冷陰極ランプモジュール。
【請求項３】
前記第１基板と前記第２基板は、それぞれ拡散板または反射板であることを特徴とする、請求項１に記載の冷陰極ランプモジュール。
【請求項４】
前記電極対は、導電性の金属、合金または金属酸化物から構成されることを特徴とする、請求項１に記載の冷陰極ランプモジュール。
【請求項５】
前記金属は、銅、銀、アルミニウム、マグネシウム、ニッケルのグループから少なくとも一つが選ばれたものであり、前記金属酸化物は、インジウムスズ酸化物、インジウム亜鉛酸化物、アルミニウム亜鉛酸化物、カドミウムスズ酸化物のグループから少なくとも一つが選ばれたものであることを特徴とする、請求項４に記載の冷陰極ランプモジュール。
【請求項６】
前記第１電極または前記第２電極は、前記第１基板または前記第２基板に設けられ、前記冷陰極ランプを収容する、少なくとも一つの冷陰極ランプ収容領域とをさらに有し、前記電極対は、前記冷陰極ランプ収容領域に設けられるとともに、前記冷陰極ランプと前記第１基板または前記第２基板との間に位置することを特徴とする、請求項１に記載の冷陰極ランプモジュール。
【請求項７】
前記冷陰極ランプ収容領域は、前記第１基板または前記第２基板の表面を凹ませ、その断面形状が半円形状、円弧形状、Ｖ字形状、放物線形状のグループから選ばれたものであることを特徴とする、請求項６に記載の冷陰極ランプモジュール。
【請求項８】
前記冷陰極ランプ収容領域は、前記第１基板または前記第２基板の表面に突出し、前記冷陰極ランプを固定する少なくとも二つのブロッカーを含むことを特徴とする、請求項６に記載の冷陰極ランプモジュール。
【請求項９】
基板と、
前記基板に互いに非対称に設けられた第１電極と第２電極とを含む、少なくとも一つの電極対と、
前記基板に設けられた、少なくとも一つの冷陰極ランプと
を備えることを特徴とする、冷陰極ランプモジュール。
【請求項１０】
前記基板は、拡散板または反射板であることを特徴とする、請求項９に記載の冷陰極ランプモジュール。
【請求項１１】
前記電極対は、導電性の金属、合金または金属酸化物から構成されることを特徴とする、請求項９に記載の冷陰極ランプモジュール。
【請求項１２】
前記金属は、銅、銀、アルミニウム、マグネシウム、ニッケルのグループから少なくとも一つが選ばれたものであり、前記金属酸化物は、インジウムスズ酸化物、インジウム亜鉛酸化物、アルミニウム亜鉛酸化物、カドミウムスズ酸化物のグループから少なくとも一つが選ばれたものであることを特徴とする、請求項１１に記載の冷陰極ランプモジュール。
【請求項１３】
前記電極は、前記基板に設けられ、前記冷陰極ランプを収容する、少なくとも一つの冷陰極ランプ収容領域とをさらに有し、前記電極対は、前記冷陰極ランプ収容領域に設けられるとともに、前記冷陰極ランプと前記基板との間に位置することを特徴とする、請求項９に記載の冷陰極ランプモジュール。
【請求項１４】
前記冷陰極ランプ収容領域は、前記基板の表面を凹ませ、その断面形状が半円形状、円弧形状、Ｖ字形状、放物線形状のグループから選ばれたものであることを特徴とする、請求項１３に記載の冷陰極ランプモジュール。
【請求項１５】
前記冷陰極ランプ収容領域は、前記基板の表面から突出し、前記冷陰極ランプを固定する少なくとも二つのブロッカーを含むことを特徴とする、請求項１３に記載の冷陰極ランプモジュール。
【請求項１６】
前記基板と対応に設置されるカバー板とをさらに備えることを特徴とする、請求項９に記載の冷陰極ランプモジュール。
【発明の詳細な説明】
【技術分野】
【０００１】
本発明は、冷陰極ランプモジュールに関し、特に外部電極構造を有する冷陰極ランプモジュールに関する。
【背景技術】
【０００２】
バックライトモジュール（backlight module）は、平面表示装置（特に液晶表示装置）に広く適用される重要な電子部品である。バックライトモジュールは、一般に液晶表示装置の表示パネルの背面に設けられ、液晶表示装置の機能の要請に応じて、主に直下型バックライトモジュールとエッジライト型バックライトモジュールに分けられる。そのうち、直下型バックライトモジュールは、光利用率がエッジライト型バックライトモジュールのそれより優れるため、高輝度または大寸法の液晶表示パネル、例えば液晶テレビに多く適用される。
【０００３】
現在、バックライトモジュールの光源として、冷陰極ランプ（cold cathode fluorescent lamp, CCFL）が使用されている。図１に示すように、従来の冷陰極ランプ１０は、気密なガラス管１０１に希ガスと水銀蒸気が封入されている。ガラス管１０１の内壁に蛍光体層１０２が塗布される。また、ガラス管１０１の両端に一対の電極１０３が装着される。電極１０３は、外端が導入線１１によって高圧電源１２に接続される。電極１０３は、高圧電源１２に駆動されると、ガラス管１０１で放電すると同時に、イオン化電子が高圧電界の駆動で加速して前進する。前進の過程で、イオン化電子が希ガスと水銀蒸気と衝突しエネルギー交換を発生するため、希ガス原子または水銀蒸気原子が励起状態から基底状態に戻す過程で紫外光を発生し、最後に紫外光によってガラス管内壁面の蛍光体層１０２を励起し、可視光を得る。
【０００４】
図２に示すように、従来の直下型バックライトモジュール１は、液晶表示パネル１３の背面に設けられる。バックライトモジュール１は、一般に、複数の冷陰極ランプ１０が、拡散板１４と反射板１５とからなる収容空間２０に平行に配列される。反射板１５は、冷陰極ランプ１０が発生した光線を反射し、光利用率を増加するために用いられる。拡散板１４は、反射光をさらに均一な光線に拡散照射するために用いられる。
【発明の開示】
【発明が解決しようとする課題】
【０００５】
しかし、バックライトモジュール１の冷陰極ランプ１０は、封着された金属電極１０３がイオンと電子の衝撃により次第に消耗されるため、冷陰極ランプ１０の寿命が短縮される。そして、この金属電極１０３の劣化現象が、現在冷陰極ランプ１０に対する高輝度の要請でさらに顕著になるため、異なる構造の外部電極を有する冷陰極ランプの技術が積極的に開発され、内部の金属電極１０３の消耗を防止し冷陰極ランプ１０の寿命を有効に延長することを図っている。
【０００６】
本発明は、上記問題を鑑みてなされたものであり、組立が容易で、構成が簡単で、しかも量産できる、外部電極構造を有する冷陰極ランプモジュールを提供することを目的とする。
【課題を解決するための手段】
【０００７】
上記目的を達成するために、本発明による冷陰極ランプモジュールは、少なくとも一つの電極対と少なくとも一つの冷陰極ランプとを備え、電極対は、第１基板と、前記第１基板に対応して設けられた第２基板と、それぞれ前記第１基板と前記第２基板に設けられた第１電極と第２電極とを含み、冷陰極ランプは、前記第１基板と前記第２基板の間に設けられている。前記第１電極と前記第２電極は、互いに対称または非対称に設けられる。
【０００８】
また、前記第１基板と前記第２基板は、それぞれ拡散板または反射板としてもよい。
【０００９】
また、前記電極対は、導電性の金属、合金または金属酸化物から構成されてもよい。
【００１０】
また、前記金属は、銅、銀、アルミニウム、マグネシウム、ニッケルのグループから少なくとも一つが選ばれたものであり、前記金属酸化物は、インジウムスズ酸化物、インジウム亜鉛酸化物、アルミニウム亜鉛酸化物、カドミウムスズ酸化物のグループから少なくとも一つが選ばれたものであってもよい。
【００１１】
また、前記第１電極または前記第２電極は、前記第１基板または前記第２基板に設けられ、前記冷陰極ランプを収容する、少なくとも一つの冷陰極ランプ収容領域とをさらに有し、前記電極対は、前記冷陰極ランプ収容領域に設けられるとともに、前記冷陰極ランプと前記第１基板または前記第２基板との間に位置してもよい。
【００１２】
また、前記冷陰極ランプ収容領域は、前記第１基板または前記第２基板の表面を凹ませ、その断面形状が半円形状、円弧形状、Ｖ字形状、放物線形状のグループから選ばれたものであってもよい。
【００１３】
また、前記冷陰極ランプ収容領域は、前記第１基板または前記第２基板の表面に突出し、前記冷陰極ランプを固定する少なくとも二つのブロッカーを含んでもよい。
【００１４】
また、本発明の冷陰極ランプモジュールは、基板と、前記基板に互いに非対称に設けられた第１電極と第２電極とを含む、少なくとも一つの電極対と、前記基板に設けられた少なくとも一つの冷陰極ランプとを備える。
【００１５】
また、前記基板は、拡散板または反射板であってもよい。
【００１６】
また、前記電極対は、導電性の金属、合金または金属酸化物から構成されてもよい。
【００１７】
また、前記金属は、銅、銀、アルミニウム、マグネシウム、ニッケルのグループから少なくとも一つが選ばれたものであり、前記金属酸化物は、インジウムスズ酸化物、インジウム亜鉛酸化物、アルミニウム亜鉛酸化物、カドミウムスズ酸化物のグループから少なくとも一つが選ばれたものであってもよい。
【００１８】
また、前記電極は、前記基板に設けられ、前記冷陰極ランプを収容する、少なくとも一つの冷陰極ランプ収容領域とをさらに有し、前記電極対は、前記冷陰極ランプ収容領域に設けられるとともに、前記冷陰極ランプと前記基板との間に位置してもよい。
【００１９】
また、前記冷陰極ランプ収容領域は、前記基板の表面を凹ませ、その断面形状が半円形状、円弧形状、Ｖ字形状、放物線形状のグループから選ばれたものであってもよい。
【００２０】
前記冷陰極ランプ収容領域は、前記基板の表面から突出し、前記冷陰極ランプを固定する少なくとも二つのブロッカーを含んでもよい。
【００２１】
また、前記基板と対応に設置されるカバー板とをさらに備えてもよい。
【発明の効果】
【００２２】
本発明の冷陰極ランプモジュールは、第１電極と第２電極を含む電極対が一つまたは二つの基板に設けられ、かつ前記基板に設けられた冷陰極ランプに接続される。前記第１電極と前記第２電極は、それぞれ同一基板に互いに非対称に設けられてもよく、それぞれ二つの基板（すなわち、前記第１基板と前記第２基板）に設けられてもよい。ここで、前記第１電極と前記第２電極は、互いに対称または非対称に設けられることができる。従って、本発明の冷陰極ランプモジュールによれば、前記電極対を基板に設けることにより、外部電極構造を有する冷陰極ランプモジュールを形成し、内部電極構造の金属電極の封着工程を無くすことができるため、製品の歩留まり、信頼性と使用寿命を向上することができる。さらに、前記電極対が予め基板に設けられるため、その後の、冷陰極ランプと組み立て冷陰極ランプモジュールを形成する過程が簡略され、組み立てが速くなり、量産することができる。
【発明を実施するための最良の形態】
【００２３】
以下、図面を参照しながら、本発明の好適な実施例における冷陰極ランプモジュールについて説明する。
【実施例１】
【００２４】
図３に示すように、本発明に係わる実施例１における冷陰極ランプモジュール３０は、第１基板３３と、第２基板３４と、少なくとも一つの電極対３２と、少なくとも一つの冷陰極ランプ３１とを備える。第１基板３３は、第２基板３４に対応して設けられている。
【００２５】
冷陰極ランプ３１は、第１基板３３と第２基板３４との間に設けられる。冷陰極ランプ３１は、透明なハウジング３１１と、透明なハウジング３１１に封入されるガス媒体と、透明なハウジング３１１の内表面に位置する蛍光体層３１２とを有する。なお、透明なハウジング３１１は、例えば、気密なガラス管である。前記ガス媒体は、希ガスと水銀蒸気とを含む。
【００２６】
電極対３２は、第１電極３２１と、第２電極３２２とを含む。本実施例において、図３に示すように、第１電極３２１と第２電極３２２は、それぞれ第１基板３３と第２基板３４に設けられる。第１基板３３は、例えば拡散板である。第２基板３４は、例えば反射板である。なお、第１基板３３と第２基板３４は、両方とも拡散板であってもよい。
【００２７】
上述したように、冷陰極ランプ３１は、電極対３２の間に設けられる。第１電極３２１と第２電極３２２は、互いに対称に設置してもよく（図３参照）、非対称に設置してもよい（図４参照）。
【００２８】
図５及び図１２に示すように、本実施例において、第１基板３３または第２基板３４は、冷陰極ランプ３１を収容する、少なくとも一つの冷陰極ランプ収容領域３８をさらに有する。なお、電極対３２は、冷陰極ランプ収容領域３８に設けられるとともに、冷陰極ランプ３１と第１基板３３または第２基板３４との間に位置する。図５に示すように、冷陰極ランプ収容領域３８は、第１基板３３または第２基板３４の表面を凹ませ、第１電極３２１または第２電極３２２は、少なくとも一部分が冷陰極ランプ収容領域３８に収容される。ここで、第１基板３３と第２基板３４は、両方とも冷陰極ランプ収容領域３８を有してもよく、基板３３、３４の何れかが、冷陰極ランプ収容領域３８を有してもよい。これにより、冷陰極ランプ３１の少なくとも一部分が冷陰極ランプ収容領域３８に収容されるとともに、第１電極３２１と第２電極３２２に緊密に接続される。なお、冷陰極ランプ収容領域３８は、その断面形状が、半円形状、円弧形状、Ｖ字形状、放物線形状のグループから選ばれたものである。
【００２９】
また、図６及び図１３に示すように、冷陰極ランプ収容領域３８は、第１基板３３または第２基板３４の表面に突出してもよい。この場合に、冷陰極ランプ収容領域３８は、冷陰極ランプ３１を固定する、少なくとも二つのブロッカー３３ａを含む。第１電極３２１または第２電極３２２は、冷陰極ランプ収容領域３８に配置され、且つ冷陰極ランプ３１の一部分が冷陰極ランプ収容領域３８に収容される。なお、上述したように、第１基板３３と第２基板３４は、両方とも冷陰極ランプ収容領域３８を有してもよく、基板３３、３４の何れかが、冷陰極ランプ収容領域３８を有してもよい。これにより、冷陰極ランプ３１の少なくとも一部分が冷陰極ランプ収容領域３８に収容されるとともに、第１電極３２１と第２電極３２２に緊密に接続される。
【００３０】
本実施例において、電極対３２の第１電極３２１と第２電極３２２は、嵌入、塗布、プリントや堆積等の方法によって、それぞれ第１基板３３または第２基板３４に形成される。また、電極対３２は、例えば、導電性の金属、合金や金属酸化物である。上記金属は、銅、銀、アルミニウム、マグネシウム、ニッケルのグループから少なくとも一つが選ばれたものである。上記金属酸化物は、インジウムスズ酸化物、インジウム亜鉛酸化物、アルミニウム亜鉛酸化物、カドミウムスズ酸化物のグループから少なくとも一つが選ばれたものである。
【００３１】
また、図７に示すように、電極対３２の第１電極３２１と第２電極３２２は、嵌入方法により第１基板３３または第２基板３４に形成された場合に、冷陰極ランプ収容領域３８は、さらに、電極変形緩衝領域３５を含む。電極変形緩衝領域３５は、冷陰極ランプ３１を冷陰極ランプ収容領域３８を入れる際に、第１基板３３または第２基板３４を凹ませる冷陰極ランプ収容領域３８の湾曲度が第１電極３２１または第２電極３２２のそれと異なるため、冷陰極ランプ３１の外部を第１電極３２１または第２電極３２２と貼り合わせない場合に、緩衝空間を提供し、第１電極３２１と第２電極３２２を変形させることにより、冷陰極ランプ３１を第１電極３２１と第２電極３２２とを緊密に貼り合わせる。
【００３２】
また、図８に示すように、本実施例において、冷陰極ランプモジュール３０は、複数の冷陰極ランプ３１を備える。ここで、電極対３２は、導入線３７によって電源３６に接続される。電源３６は、高圧電源を供給することにより、電極対３２に接続された冷陰極ランプ３１の内部で高圧電界を発生させ、冷陰極ランプ３１内のガス媒体が励起され紫外光を発生させてから、上記紫外光により冷陰極ランプ３１内表面の蛍光体層３１２が励起され、可視光を発生させる。なお、本実施例において、一つの電源３６でこれらの冷陰極ランプ３１を駆動してもよく、複数の電源３６でそれぞれこれらの冷陰極ランプ３１を駆動してもよい。
【００３３】
また、冷陰極ランプモジュール３０は、表示装置のバックライトモジュールとして適用されてもよく、光源として適用されてもよい。表示装置としては、液晶表示装置などの平面表示装置がある。
【実施例２】
【００３４】
図９に示すように、本発明に係わる実施例２における冷陰極ランプモジュール４０は、基板４３と、少なくとも一つの電極対４２と、少なくとも一つの冷陰極ランプ４１とを備える。
【００３５】
基板４３は、例えば、拡散板または反射板である。なお、本実施例において、冷陰極ランプ４１と電極対４２は、その材料と構成が実施例１の冷陰極ランプ３１と電極対３２のそれと同様なので、その説明を省略する。
【００３６】
電極対４２は、第１電極４２１と第２電極４２２とを含む、第１電極４２１と第２電極４２２は、いずれも基板４３に設けられ、且つ冷陰極ランプ４１に接続される。なお、第１電極４２１と第２電極４２２は、互いに非対称に基板４３に設けられる。
【００３７】
前記基板４３は、さらに、少なくとも一つの冷陰極ランプ収容領域４８を有する。上述したように、冷陰極ランプ収容領域４８は、基板４３に凹ませてもよく（図１０参照）、基板４３に突出してもよい。電極対４２は、冷陰極ランプ収容領域４８に設けられる。ここで、冷陰極ランプ４１の少なくとも一部分が冷陰極ランプ収容領域４８に収容されるとともに、第１電極４２１と第２電極４２２に緊密に接続される。なお、冷陰極ランプ収容領域４８は、その構成と断面形状が、上述した冷陰極ランプ収容領域３８のそれと同様なので、その説明を省略する。
【００３８】
なお、本実施例において、冷陰極ランプモジュール４０は、さらに、基板４３と対応して設けられたカバー板４４とを備える。カバー板４４は、例えば拡散板または反射板である。
【００３９】
また、本実施例の冷陰極ランプ収容領域は、同様に、電極対４２と基板４３との間に設けられた電極変形緩衝領域４５をさらに含む（図１０参照）。電極変形緩衝領域４５は、上述した電極変形緩衝領域３５と同様に、電極対４２と冷陰極ランプ４１を接続する際の変形を緩衝するために用いられる。なお、電極対４２は、嵌入、塗布、プリントや堆積等の方法によって、基板４３に形成される。
【００４０】
また、図１１に示すように、冷陰極ランプモジュール４０は、複数の冷陰極ランプ４１を備える。電極対４２は、電源４６に接続される。電源４６は、電極対４２を駆動することにより、冷陰極ランプ４１の内部で高圧電界を発生させ、冷陰極ランプ４１の蛍光体層４１２が励起され、最終に可視光を発生させる。また、本実施例において、一つの電源４６でこれらの冷陰極ランプ４１を駆動してもよく、複数の電源４６でそれぞれこれらの冷陰極ランプ４１を駆動してもよい。
【００４１】
更に、第１電極４２１と第２電極４２２について詳しく説明すると、一方の第１電極４２１は、基板４３に形成された凹みの縁の領域に沿う形状で導入線４７ａに接続される長方形状基部４２１ａと、基板４３に形成された凹みの内縁に沿う形状で、前記長方形状基部４２１ａより冷陰極ランプ収容領域４８に向けて延びる櫛歯状部４２１ｂとを備え、他方の第２電極４２２は、基板４３に形成された凹みの縁の領域に沿う形状で導入線４７ｂに接続される長方形状基部４２２ａと、基板４３に形成された凹みの内縁に沿う形状で、前記長方形状基部４２２ａより冷陰極ランプ収容領域４８に向けて延びる櫛歯状部４２２ｂとを備える。
そして、第１電極４２１の櫛歯状部４２１ｂと第２電極４２２の櫛歯状部４２２ｂとは、非対称、すなわち互い違いに形成されている。
【００４２】
また、冷陰極ランプモジュール４０は、表示装置のバックライトモジュールとして適用されてもよく、光源として適用されてもよい。表示装置としては、液晶表示装置などの平面表示装置がある。
【００４３】
以上、本発明の実施の形態を図面を参照して詳述してきたが、具体的な構成は、これらの実施の形態に限られるものではなく、本発明の要旨を逸脱しない範囲の設計変更等があっても、本発明に含まれる。
【図面の簡単な説明】
【００４４】
【図１】従来の冷陰極ランプを示す図である。
【図２】従来の直下型バックライトモジュールを示す図である。
【図３】本発明の実施例１における冷陰極ランプモジュールにおいて、第１電極と第２電極が互いに対称に設置される状態を示す図である。
【図４】本発明の実施例１における冷陰極ランプモジュールにおいて、第１電極と第２電極が互いに非対称に設置される状態を示す図である。
【図５】本発明の実施例１における冷陰極ランプモジュールにおいて、冷陰極ランプ収容領域が基板の表面に凹ませる状態を示す図である。
【図６】本発明の実施例１における冷陰極ランプモジュールにおいて、冷陰極ランプ収容領域が基板の表面に突出する状態を示す図である。
【図７】本発明の実施例１における冷陰極ランプモジュールにおいて、冷陰極ランプ収容領域が電極変形緩衝領域を含む状態を示す図である。
【図８】本発明の実施例１における冷陰極モジュールを具体的に実施した態様を示す図である。
【図９】本発明の実施例２における冷陰極ランプモジュールを示す図である。
【図１０】本発明の実施例２における冷陰極ランプモジュールにおいて、冷陰極ランプ収容領域が基板の表面に凹ませる状態を示す図である。
【図１１】本発明の実施例２における冷陰極モジュールを具体的に実施した態様を示す図である。
【図１２】図５の詳細図である。
【図１３】図６の詳細図である。
【図１４】図１１の詳細図である。
【符号の説明】
【００４５】
１  バックライトモジュール
１０  冷陰極ランプ
１０１  ガラス管
１０２  蛍光体層
１０３  金属電極
１１  導入線
１２  高圧電源
１３  液晶表示パネル
１４  拡散板
１５  反射板
２０  収容空間
３０  冷陰極ランプモジュール
３１  冷陰極ランプ
３１１  透明なハウジング
３１２  蛍光体層
３２  電極対
３２１  第１電極
３２２  第２電極
３３  第１基板
３３ａ  ブロッカー
３４  第２基板
３５  電極変形緩衝領域
３６  電源
３７  導入線
３８  冷陰極ランプ収容領域
４０  冷陰極ランプモジュール
４１  冷陰極ランプ
４１２  蛍光体層
４２  電極対
４２１  第１電極
４２１ａ  長方形状基部
４２１ｂ  櫛歯状部
４２２  第２電極
４２２ａ  長方形状基部
４２２ｂ  櫛歯状部
４３  基板
４４  カバー板
４５  電極変形緩衝領域
４６  電源
４７ａ，４７ｂ  導入線
４８  冷陰極ランプ収容領域
【図１】
2007012615.tif 000003
【図２】
2007012615.tif 000004
【図３】
2007012615.tif 000005
【図４】
2007012615.tif 000006
【図５】
2007012615.tif 000007
【図６】
2007012615.tif 000008
【図７】
2007012615.tif 000009
【図８】
2007012615.tif 000010
【図９】
2007012615.tif 000011
【図１０】
2007012615.tif 000012
【図１１】
2007012615.tif 000013
【図１２】
2007012615.tif 000014
【図１３】
2007012615.tif 000015
【図１４】
2007012615.tif 000016